(57)【要約】【課題】  調理時に飛散した食品屑や吹きこぼれた液体によって、バーナーリングの周囲の天板及びバーナーリングの内側の天板が汚損される問題を解決する。【解決手段】  ガスコンロ用マット１の環状のマット本体２は、バーナーリング１４よりも小径の開口部分３を有する内周部４と、バーナーリング１４の外側の環状の段差部５と、段差部５から外方へ延びる外周部６とを備え、内周部４が段差部５を介してバーナーリング１４の天板１１からの突出高さに対応する高さｈで突出する。ガスコンロに装着したとき、マット本体２が、バーナーリング１４及び天板１１に適切に接触し、バーナーリング１４の周縁から天板１１にわたる領域を覆うことができるから、調理時に吹きこぼれた液体がバーナーリング１４と天板１１との隙間に侵入するのを確実に防止して、天板１１の汚損を抑止する。【選択図】  図３
2019219065.tif 000002
【特許請求の範囲】
【請求項１】
開孔が形成された天板と、この開孔内に配置されるガスバーナーと、このガスバーナーの周囲に配置され前記天板の表面から突出するバーナーリングとを備えるガスコンロに装着され、金属箔の成形体より成るガスコンロ用マットであって、
前記ガスバーナーの周囲の前記天板の表面を覆うことが可能な環状のマット本体を備え、
前記マット本体は、
中央部に前記バーナーリングの外径よりも小径の開口部分が形成された内周部と、
前記バーナーリングの外径の位置又はこの外径よりも外側の位置に段差を有するように形成された環状の段差部と、
前記段差部から外方へ延びる外周部とを備え、
前記内周部が、前記段差部を介して、前記バーナーリングの前記天板からの突出高さに対応する高さで突出している、ガスコンロ用マット。
【請求項２】
前記マット本体は、前記外周部の外周縁が起立形成された堤防部をさらに備える、請求項１記載のガスコンロ用マット。
【請求項３】
前記マット本体は、前記外周部に形成された、前記マット本体の表面から突出する少なくとも１つの環状の液止め部をさらに備える、請求項１又は請求項２記載のガスコンロ用マット。
【請求項４】
前記マット本体は、前記内周部の内周縁に縁巻加工により形成された第１の縁巻き部をさらに備える、請求項１から請求項３のいずれかに記載のガスコンロ用マット。
【請求項５】
前記マット本体は、前記外周部の外周縁に縁巻加工により形成された第２の縁巻き部をさらに備える、請求項１から請求項４のいずれかに記載のガスコンロ用マット。
【請求項６】
前記マット本体は、その表面に、前記バーナーリングに装着される五徳の取付位置を示す標識部をさらに備える、請求項１から請求項５のいずれかに記載のガスコンロ用マット。
【請求項７】
前記内周部は、
前記段差部に隣接し、前記段差部に向かって下降する第１の勾配を有する環状の第１の緩斜面部と、
前記第１の緩斜面部に隣接し、前記段差部に向かって下降し且つ前記第１の勾配より大きい第２の勾配を有する第２の緩斜面部と、
前記第２の緩斜面部に隣接し、前記開口部分を含む平坦なリング覆い部とを備える、請求項１から請求項６のいずれかに記載のガスコンロ用マット。
【発明の詳細な説明】
【技術分野】
【０００１】
本発明は、ガスコンロ用マットに関し、特にガスコンロにおけるガスバーナーの周囲に装着して、天板の表面を覆うガスコンロ用マットに関するものである。
【背景技術】
【０００２】
ガスコンロは、天板に形成した開孔内にガスバーナーが設けられ、鍋等をガスバーナー上に支持するための五徳がガスバーナーの周囲に配置される構成が一般的である。又、通常、ガスバーナーの周囲には、天板の開孔を閉塞するバーナーリングが装着される。尚、近年では、手入れが容易なように、表面を平坦に仕上げた天板を採用することも多くなっている。
【０００３】
ところでガスコンロで調理を行うと、フライパンから食品屑や油等が飛び散ったり、鍋からゆで汁や煮汁等の液体が吹きこぼれたりして、ガスバーナー周囲の天板の表面を汚すことがしばしばある。そこで、ガスバーナーの周囲を覆って天板に汚れが付着するのを防止するガスコンロ用マットが提供されている。このような従来のガスコンロ用マットは、例えば、特開２０１６−４０５１３号公報（特許文献１）や特開２０１５−７５１３号公報（特許文献２）等に記載されている。
【０００４】
図７は、特許文献１に記載された従来のガスコンロ用マットを示すものであって、（Ａ）は使用状態を示す概略斜視図であり、（Ｂ）は使用状態を示す断面図である。図７に示すように、ガスコンロ２０は、例えば、天板２１に形成した開孔２２内にガスバーナー２３が配置され、ガスバーナー２３の周囲に天板２１の開孔を覆うバーナーリング２４が配置され、鍋等を載置するための五徳２５がバーナーリング２４の外周を囲むように着脱自在に取り付けられる。ガスコンロ用マット３０は、バーナーリング２４よりも外側で天板２１の表面を覆うように、天板２１と五徳２５との間に配置される。従って、従来のガスコンロ用マット３０の中央部に形成される開口部分３０ａの孔径は、バーナーリング２４の外径Ｒよりも大きく設定されている。
【０００５】
特許文献２に記載されるガスコンロ用マットは、中央部の開口部分と同心的に１つ以上の開口補助線が形成され、適用するガスコンロのバーナーリングの外径に対応する開口補助線を使用者が切り取ることにより、１種類の製品で、開口部分の孔径を複数種類のバーナーリングの外径に対応できるようにしたものである。特許文献２のガスコンロ用マットもまた、開口部分の孔径が、バーナーリングの外径より大きくなるように設定されている。
【先行技術文献】
【特許文献】
【０００６】
【特許文献１】特開２０１６−４０５１３号公報
【特許文献２】特開２０１５−７５１３号公報
【発明の概要】
【発明が解決しようとする課題】
【０００７】
図８は、従来のガスコンロ用マットの問題点を説明するための、図７の部分拡大図である。特許文献１又は特許文献２に記載されるような従来のガスコンロ用マット３０は、天板２１から突出するバーナーリング２４よりも外側で天板２１の表面を覆う設計となっている。すなわち従来は、バーナーリング２４とガスコンロ用マット３０との間の領域では、天板２１の表面が覆われていない。このため、調理時に飛散した食品屑等の固形物や油又は吹きこぼれた煮汁等の液体が、バーナーリング２４とガスコンロ用マット３０との間の天板２１に付着したり、天板２１とガスコンロ用マット３０との間に侵入したりして、これらが汚損されるという問題がある。
【０００８】
又、図８に示すように、五徳２５における鍋等の底部を支持する部分の先端部２５ａが、バーナーリング２４の外周付近又は外周よりも内側に位置している場合、鍋などから吹きこぼれた液体Ｌが矢印で示すように五徳２５を伝わって先端部２５ａまで達し、ここからバーナーリング２４に向かって落下して、バーナーリング２４の表面を汚損する。更に、バーナーリング２４が天板２１に対し着脱可能な構造の場合は、落下した液体Ｌが、バーナーリング２４と天板２１との間の隙間Ｇからバーナーリング２４の内側へ侵入する結果、バーナーリング２４の内側に汚れが焦げ付いて固着するという問題を発生させている。
【０００９】
更に、特許文献１及び特許文献２に記載の従来のガスコンロ用マットは、天板の表面形状に合わせてほぼ全体が平坦な形状に形成されており、調理時に鍋から吹きこぼれた煮汁等の液体を堰き止める機能が高くないので、吹きこぼれた液体をガスコンロ用マットの周囲に流出させる可能性が高いという問題もある。
【００１０】
本発明は、上記のような課題を解決するためになされたもので、調理時に飛散した食品屑等の固形物や油又は吹きこぼれた煮汁等の液体によって、バーナーリングの周囲の天板やバーナーリングの内側の天板が汚損されるという問題を解決することを目的とする。
【課題を解決するための手段】
【００１１】
請求項１記載の発明は、開孔が形成された天板と、この開孔内に配置されるガスバーナーと、このガスバーナーの周囲に配置され天板の表面から突出するバーナーリングとを備えるガスコンロに装着され、金属箔の成形体より成るガスコンロ用マットであって、ガスバーナーの周囲の天板の表面を覆うことが可能な環状のマット本体を備え、マット本体は、中央部にバーナーリングの外径よりも小径の開口部分が形成された内周部と、バーナーリングの外径の位置又はこの外径よりも外側の位置に段差を有するように形成された環状の段差部と、段差部から外方へ延びる外周部とを備え、内周部が、段差部を介して、バーナーリングの天板からの突出高さに対応する高さで突出しているものである。
【００１２】
このように構成すると、ガスコンロに装着したときにマット本体がガスバーナーの周囲の天板の表面を覆うことが可能であると共に、内周部の開口部分がバーナーリングの外径よりも小径であるから、マット本体によってバーナーリングの周縁から天板にわたる領域を覆うことができる。又、マット本体に形成される段差部が、バーナーリングの外径の位置又はその外側の位置であると共に突出高さがバーナーリングの突出高さに対応しているから、ガスコンロに装着したときに、マット本体のバーナーリング及び天板に対する接触状態が適切となる。
【００１３】
請求項２記載の発明は、請求項１記載の発明の構成において、マット本体は、外周部の外周縁が起立形成された堤防部をさらに備えるものである。
【００１４】
このように構成すると、堤防部が、マット本体上に吹きこぼれた液体がマット本体の外側へ流出するのを阻止する。
【００１５】
請求項３記載の発明は、請求項１又は請求項２記載の発明の構成において、マット本体は、外周部に形成された、マット本体の表面から突出する少なくとも１つの環状の液止め部をさらに備えるものである。
【００１６】
このように構成すると、液止め部が、調理中に吹きこぼれた液体が液止め部より内方からマット本体の外周縁に向かって流動する際の抵抗となる。
【００１７】
請求項４記載の発明は、請求項１から請求項３のいずれかに記載の発明の構成において、マット本体は、内周部の内周縁に縁巻加工により形成された第１の縁巻き部をさらに備えるものである。
【００１８】
このように構成すると、内周縁に第１の縁巻き部を形成したので、内周縁の見かけの断面積が増大する。
【００１９】
請求項５記載の発明は、請求項１から請求項４のいずれかに記載の発明の構成において、マット本体は、外周部の外周縁に縁巻加工により形成された第２の縁巻き部をさらに備えるものである。
【００２０】
このように構成すると、外周縁に第２の縁巻き部を形成したので、外周縁の見かけの断面積が増大する。
【００２１】
請求項６記載の発明は、請求項１から請求項５のいずれかに記載の発明の構成において、マット本体は、その表面に、バーナーリングに装着される五徳の取付位置を示す標識部をさらに備えるものである。
【００２２】
このように構成すると、ガスコンロ用マットをガスバーナーの周囲に装着する際に、バーナーリング等に形成される五徳の位置決め用の係止構造の位置と標識部の位置とを合わせることで、五徳の取付位置を把握可能となる。
【００２３】
請求項７記載の発明は、請求項１から請求項６のいずれに記載の発明の構成において、内周部が、段差部に隣接し、段差部に向かって下降する第１の勾配を有する環状の第１の緩斜面部と、第１の緩斜面部に隣接し、段差部に向かって下降し且つ第１の勾配より大きい第２の勾配を有する第２の緩斜面部と、第２の緩斜面部に隣接し、開口部分を含む平坦なリング覆い部とを備えるものである。
【００２４】
このように構成すると、第１の緩斜面部と段差部との境界、第１の緩斜面部と第２の緩斜面部との境界、及び、第２の緩斜面部とリング覆い部との境界の３箇所に環状の屈曲部が形成される。又、第１の勾配より第２の勾配が大きいので、第１の緩斜面部と第２の緩斜面部との間に、表面側から見て凹部が形成される。
【発明の効果】
【００２５】
請求項１記載の発明は、マット本体が、バーナーリングの表面からバーナーリングの周囲の天板の表面にわたる領域を覆うことができるので、調理時に吹きこぼれた液体等が、バーナーリングの表面の一部及びバーナーリングの周囲の天板に接触すること、及び、この液体が天板とバーナーリングとの隙間に侵入することが阻止される。その結果、バーナーリングの表面の一部と、天板におけるバーナーリングより内側の表面及びバーナーリングの周囲の表面とが汚損されるのを確実に防止できる。
【００２６】
請求項２記載の発明は、請求項１記載の発明の効果に加えて、堤防部を備えることにより、吹きこぼれてマット本体の上に落下した液体がマット本体の外側に流出するのを抑止して、天板が汚損されるのを防止する。
【００２７】
請求項３記載の発明は、請求項１又は請求項２記載の発明の効果に加えて、調理中に液体が吹きこぼれたとき、液止め部よりも内方で落下する液体の量が少ないときは、液止め部によりこの液体を堰き止めて、マット本体の外周部に液体が達するのを阻止する。吹きこぼれた液体の量が多いときは、液止め部が流動に抵抗を与えて液体の流速を低下させる。このように、液体がガスコンロ用マットの外側へ流動するのを阻止するか又は抵抗を与えて、天板の表面が汚れるのを抑止する効果を向上させることができる。
【００２８】
請求項４記載の発明は、請求項１から請求項３のいずれかに記載の発明の効果に加えて、第１の縁巻き部により、内周部の内周縁の見かけの断面積が増大するから、内周縁の強度を向上させることができる。
【００２９】
請求項５記載の発明は、請求項１から請求項４のいずれかに記載の発明の効果に加えて、第２の縁巻き部により、外周部の外周縁の見かけの断面積が増大するから、外周縁の強度を向上させることができる。
【００３０】
請求項６記載の発明は、請求項１から請求項５のいずれかに記載の発明の効果に加えて、標識部により五徳の係止位置がマット本体の表面から把握可能となるので、ガスコンロ用マットの装着後であっても、五徳を適正位置に取り付けることが容易にできる。
【００３１】
請求項７記載の発明は、請求項１から請求項６のいずれかに記載の発明の効果に加えて、ガスコンロがバーナーリングの外周に五徳の基部を取り付ける構造である場合において、マット本体の段差部の直径よりもバーナーリングの直径が小さいとき、つまり、段差部の直径が五徳の下側先端部の内径より大きくなっているときは、五徳を取り付ける際に、五徳の下側先端部で内周部の一部及び段差部を圧潰する必要が生じる。このような状況において、段差部に近接させて第１の緩斜面部及び第２の緩斜面部を設けたことにより、段差部の近傍に３箇所の屈曲部が形成されると共に、第１の緩斜面部と第２の緩斜面部との間が凹部に形成されているので、五徳の下側先端部によって表面側から荷重を加えたときに、内周部の一部及び段差部が変形して圧潰するのが容易になる。又、段差部の直径が五徳の下側先端部の内径より大きくなっているときは、平坦なリング覆い部と第２の緩斜面部とによる屈曲部及び第１の緩斜面部と第２の緩斜面部とによる屈曲部はそれぞれ、五徳を取り付ける際の位置合わせの目安としての機能をも果たす。これらにより、マット本体における段差部に沿った変形を均等化できるから、内周部の中心と外周部の中心との間に位置ずれが生じるのが防止され、ガスコンロ用マットの適切な装着状態を確保できる。
【図面の簡単な説明】
【００３２】
【図１】本発明の実施の形態によるガスコンロ用マットの一例を示すものであって、（Ａ）は正面図であり、（Ｂ）は平面図である。
【図２】図１のＡ−Ａ断面図である。
【図３】本発明の実施の形態によるガスコンロ用マットの使用状態を示す断面図である。
【図４】図２に示すガスコンロ用マットの内周縁側の拡大図である。
【図５】本発明の実施の形態によるガスコンロ用マットの他の使用状態を示す断面図であって、（Ａ）は五徳を取り付ける前の状態を示すものであり、（Ｂ）は五徳を取り付けた状態を示すものである。
【図６】図２に示すガスコンロ用マットの外周縁側の拡大図である。
【図７】特許文献１に記載された従来のガスコンロ用マットを示すものであって、（Ａ）は使用状態を示す概略斜視図であり、（Ｂ）は使用状態を示す断面図である。
【図８】従来のガスコンロ用マットの問題点を説明するための、図７の部分拡大図である。
【発明を実施するための形態】
【００３３】
図１は、本発明の実施の形態によるガスコンロ用マットの一例を示すものであって、（Ａ）は正面図であり、（Ｂ）は平面図である。図２は、図１のＡ−Ａ断面図である。図３は、本発明の実施の形態によるガスコンロ用マットの使用状態を示す断面図である。
【００３４】
尚、以下の説明において、ガスコンロに装着した状態において、露出する側の面をガスコンロ用マットの表面と言うものとする。
【００３５】
はじめに図３を参照して、本発明に係るガスコンロ用マット１は、ガスコンロのガスバーナー１３の周囲に装着される。装着対象とするガスコンロは、開孔１２が形成された天板１１と、この開孔１２内に配置されるガスバーナー１３と、このガスバーナー１３の周囲に配置され天板１１の表面から突出するバーナーリング１４とを備えるものである。本実施の形態のガスコンロは、ガスバーナー１３の周囲の天板１１の表面が平坦に仕上げられたものである。
【００３６】
図１及び図２に示すように、ガスコンロ用マット１は、金属箔の成形体である環状のマット本体２を備える。このマット本体２は、ガスバーナーの周囲の天板の表面を覆うことが可能な外形寸法を有し、中央部に開口部分３が形成された内周部４と、内周部４の外側の位置に段差を有するように形成された環状の段差部５と、段差部５から外方へ延びる外周部６とを備える。そして内周部４が、段差部５を介して、外周部６よりも表面側へ突出するように形成されている。尚、ガスコンロが複数のガスバーナーを備える場合、ガスコンロ用マットは、通常、ガスバーナーごとに配設される。
【００３７】
マット本体２は、例えば厚みが１０−１００μｍのアルミニウム箔で製作され、本例では、環状のマット本体２の開口部分３、内周部４、段差部５、及び、外周部６が互いに同心に形成される。又、内周部４及び外周部６の主要部分は平坦に形成される。
【００３８】
内周部４に設けられる開口部分３の孔径ｄ１は、バーナーリングの内径（ガスバーナー１３を挿通させる開孔の孔径）よりも大きく、且つ、バーナーリングの外径Ｒ（図７（Ｂ）参照）よりも小径に設定される。又、孔径ｄ１は、ガスバーナーの基部に設けられる点火プラグや立ち消え防止用の安全装置と干渉しないように設定される。
【００３９】
段差部５は、図３に示すように、外周部６から起立して、浅い筒状を成すものである。外周部６に対し、垂直に起立させてもよいが、図示するように、内周部４に向かって若干傾斜させてもよい。図１に示す段差部５の直径ｄ２は、バーナーリング１４の外径Ｒ（図７（Ｂ）参照）と等しいか又はこれより大きく設定される。
【００４０】
外周部６は、段差部５から連続して外方へ延びる部分であり、その外径ｄ３は、ガスバーナーの周囲の天板の表面を覆うことが可能な寸法に設定される。好ましくは、マット本体２の外周縁２ｂが、ガスバーナーの周囲に取り付けられる五徳が天板の表面に接触し得る位置よりも外側に位置するように、外径ｄ３が設定される（例えば２２０〜２４５ｍｍ）。
【００４１】
図２に示す、内周部４の外周部６に対する突出高さｈは、バーナーリングが天板の表面から突出する高さに対応するように設定され、通常は、５〜１０ｍｍの範囲で設定される。
【００４２】
マット本体２は更に、外周部６の外周縁２ｂを起立させて形成した堤防部９を備える。図示の例では、堤防部９は、表面側が凹曲面となるように形成されているが、その形状は特に限定されるものではなく、表面が円錐面や円筒面を構成するように形成してもよい。堤防部９の開始位置は、五徳の外周に干渉しないような位置であり、又、外周部６の高さ寸法は、吹きこぼれた液体が堤防部９を超えることを抑制できる程度の寸法に設定される。
【００４３】
外周部６は更に、マット本体２の表面から突出するように形成された少なくとも１つの環状の液止め部７を備える。液止め部７は、五徳１５がマット本体２に接する位置とは干渉しない位置に設けられ、断面が三角形状を成すように形成されたものである。又、高さ寸法は、五徳１５と干渉しない高さであって、且つ段差部５の高さよりも低く設定される。これは、液止め部７の高さを段差部５より高くすると、段差部５と液止め部７との間に貯まった液体が、段差部５を超えて内方のバーナーリング１４側へ流動する可能性が生じるので、この問題を回避するためである。
【００４４】
図３に示すように、ガスコンロ用マット１は、使用の際、ガスバーナー１３の周囲の天板１１上に配置され、更にその上に五徳１５が載置される。マット本体２は、ガスバーナー１３の周囲の天板１１の表面を覆うことが可能な外径を有し、開口部分３の孔径はバーナーリング１４の外径よりも小径である。又、段差部５は、その外径がバーナーリング１４の外径とほぼ等しく設定されている。更に、内周部４の外周部６に対する突出高さｈは、バーナーリング１４の突出高さに対応している。他方、五徳１５は、天板１１上に載置される基部１５ｂと鍋等を支持する腕部１５ｄとを備え、基部１５ｂの内周側に位置する下側先端部１５ａを、マット本体２の段差部５を介して、バーナーリング１４の外周に嵌合させることによって、天板１１上に取り付けられる。マット本体２の液止め部７は、五徳１５の下側先端部１５ａよりも外側で、五徳１５の基部１５ｂとは干渉しないように配置される。マット本体２の堤防部９は、五徳１５の外周側の部分１５ｃより外側に、五徳１５とは干渉しないように配置される。
【００４５】
このような構成により、ガスコンロ用マット１は、ガスコンロに装着したときに、バーナーリング１４の周縁部から天板１１に亘る領域を切れ目なく覆うことができると共に、マット本体２が、バーナーリング１４及び天板１１の表面に適切に接触することができる。調理時に吹きこぼれた液体等は、五徳１５の腕部１５ｄの内周側を伝ってバーナーリング１４の表面に落下し、あるいは五徳１５の腕部１５ｄの外周側を伝って天板１１の表面に落下する可能性がある。しかし、上記のように構成されたガスコンロ用マット１を装着することで、落下した液体がバーナーリング１４の表面の一部及びバーナーリング１４の周囲の天板１１に接触することを防止して、この液体が天板１１とバーナーリング１４との隙間に侵入することを阻止するので、これらの汚損を確実に防止できる。
【００４６】
又、マット本体２が堤防部９を備えることにより、マット本体２上に吹きこぼれた液体が外側へ流出するのを確実に抑止できるから、天板の汚損を防止する効果が向上する。
【００４７】
更に、段差部５の外側に形成された液止め部７は、調理中に吹きこぼれてマット本体２の内方から外方へ向かって流動する液体に対する堰又は抵抗として機能する。すなわち、鍋等から吹きこぼれた液体が、内周部４の表面上等、液止め部７よりも内方の位置に落下した場合において、この液体の量が少ないときは、液止め部７により液体の流動が堰き止められて、液体が外周部６に達するのを阻止することができる。吹きこぼれた液体の量が多いときは、液止め部７が液体の流動に抵抗を与えて流速を低下させることにより、液体がマット本体２外側まで流出するのを防止して、天板１１の表面が汚れるのを抑止することができる。
【００４８】
尚、バーナーリング１４の表面に、五徳１５の位置決めをするための、例えばノッチなどの係止構造が設けられている場合、上記のようにガスコンロ用マット１を装着することによって、マット本体２の内周部４がバーナーリング１４の係止構造を覆い隠してしまうことがある。そこで図１（Ｂ）に示すように、マット本体２の表面、例えば内周部４の表面に、バーナーリング１の係止構造の位置を示すための標識部ｎを設けてもよい。ガスコンロ用マット１をガスバーナーの周囲に装着する際に、マット本体２の表面に表示される標識部ｎを、バーナーリング１４における係止構造の位置に位置合わせしておくと、マット本体２の標識部ｎによって、五徳１５の係止位置を把握することが可能となる。従って、ガスコンロ用マット１の装着後であっても、五徳１５を適正位置に取り付けることが容易にできるようになる。
【００４９】
本実施の形態のガスコンロ用マットは、更に以下のような構成を備える。図４は、図２に示すガスコンロ用マットの内周縁側の拡大図である。図５は、本発明の実施の形態によるガスコンロ用マットの他の使用状態を示す断面図であって、（Ａ）は五徳を取り付ける前の状態を示すものであり、（Ｂ）は五徳を取り付けた状態を示すものである。図６は、図２に示すガスコンロ用マットの外周縁側の拡大図である。
【００５０】
図４に示すように、マット本体２の内周部４は、開口部分３に沿った内周縁２ａに、縁巻加工により形成された第１の縁巻き部８を更に備える。第１の縁巻き部８は、開口部分３の端縁を上から下に巻き込んで形成したものであり、本例では、その下端が、内周部４の下面付近に位置するように設定される。第１の縁巻き部８を形成することにより内周縁２ａの見かけの断面積（断面係数）が増大するから、内周部４の内周縁２ａ（開口部分３の周縁）の強度を向上させることができる。又、第１の縁巻き部８を、巻き込み後の直径（例えば０．５〜１ｍｍ）に応じた寸法で内周部４から表面側へ突出させることにより、吹きこぼれた液体に対する堤防機能を持たせることが可能である。尚、第１の縁巻き部８の巻き込み方向や巻き込み半径等は、本実施の形態に限定されるものではない。
【００５１】
更に内周部４は、段差部５に隣接し、段差部５に向かって下降する第１の勾配θ１を有する環状の第１の緩斜面部Ｓ１と、第１の緩斜面部Ｓ１に隣接し、段差部５に向かって下降し且つ第１の勾配θ１より大きい第２の勾配θ２を有する第２の緩斜面部Ｓ２と、第２の緩斜面部Ｓ２に隣接し、開口部分３を含む平坦なリング覆い部Ｓ３とを備える。
【００５２】
内周部４を上記のように構成すると、第１の緩斜面部Ｓ１と段差部５との境界、第１の緩斜面部Ｓ１と第２の緩斜面部Ｓ２との境界、及び、第２の緩斜面部Ｓ２とリング覆い部Ｓ３との境界の３箇所に屈曲部が形成される。又、第１の勾配θ１より第２の勾配θ２が大きいので、第１の緩斜面部Ｓ１と第２の緩斜面部Ｓ２との間は、表面側から見て凹部を形成する。
【００５３】
内周部４の上記の構成は、以下のような効果を奏する。図５（Ａ）に示すように、バーナーリング１４の外周に五徳１５の基部１５ｂを取り付ける場合において、バーナーリング１４の直径よりも段差部５の直径が大きいときは、五徳１５を取り付ける際、図５（Ｂ）に示すように、五徳１５の下側先端部１５ａで内周部４の一部及び段差部５を圧潰する必要が生じる。本例では、段差部５に近接させて３箇所の屈曲部が形成されると共に、第１の緩斜面部Ｓ１及び第２の緩斜面部Ｓ２との間が凹部に形成されるので、表面側に作用する荷重に対して段差部５の近傍領域が変形しやすくなっている。その結果、五徳１５の下側先端部１５ａで内周部４の一部及び段差部５を圧潰するのが容易になる。又、段差部５の直径が五徳１５の下側先端部１５ａの内径より大きくなっているときは、平坦なリング覆い部Ｓ３と第２の緩斜面部Ｓ２とによる屈曲部及び第１の緩斜面部Ｓ１と第２の緩斜面部Ｓ２とによる屈曲部はそれぞれ、五徳１５を取り付ける際の位置合わせの目安としての機能をも果たす。これらにより、マット本体２における段差部５に沿った変形を均等化できるから、内周部４の中心と外周部６の中心との間に位置ずれが生じるのが防止され、ガスコンロ用マットの適切な装着状態を確保することができる。尚、五徳１５を取り付ける際の位置合わせの目安として第１の緩斜面部Ｓ１と第２の緩斜面部Ｓ２とによる屈曲部を設ける場合は、両者の間を凹部に形成する形態に限定されず、凸部に形成してもよい。但し、段差部５の圧潰のしやすさの観点からは、第１の緩斜面部Ｓ１と第２の緩斜面部Ｓ２との間が凹部に形成されているのが好ましい。
【００５４】
図６に示すように、マット本体２は、外周部６の外周縁２ｂに縁巻加工により形成された第２の縁巻き部１０を更に備える。本例における第２の縁巻き部１０は、堤防部９の端縁を上から下に巻き込んで形成したものであり、その下端が、堤防部９上端付近に位置するように設定した。第２の縁巻き部１０を形成することにより外周縁２ｂの見かけの断面積（断面係数）が増大するから、マット本体２の外周縁２ｂの強度を向上させることができる。又、第２の縁巻き部１０を、巻き込み後の直径（例えば１．５〜３ｍｍ）に応じた寸法で堤防部９から突出させることにより、吹きこぼれた液体に対する堤防機能を向上させることが可能である。尚、第２の縁巻き部１０の巻き込み方向や巻き込み半径等は特に限定されるものではない。
【００５５】
尚、マット本体は環状であるが、円形に限定されず、矩形、正方形、正六角形などの形態を採用することもできる。又、複数のガスバーナーを有するガスコンロを適用対象とする場合、マット本体が、天板の全面を覆い、且つ、複数ガスバーナーに対応する複数の開口部分を備えるものとすることも可能である。更に、マット本体は、液止め部と堤防部との両方を備える構成とする以外に、いずれか一方だけを設けてもよく、両方を省略することもできる。
【００５６】
液止め部は、マット本体に１つだけを設けてもよいが、２つ以上設けることも可能である。液止め部の断面形状は、三角形状に限定されるものではなく、例えば半円形や矩形などの断面形状であってもよい。
【００５７】
内周部の開口部分の形状は、上記では円形としたが、楕円形など、バーナーリングの形態に応じて変更することが可能である。又、ガスバーナーの基部付近に点火プラグや立ち消え防止用の安全装置などが設けられている場合、開口部分は、これらを避けるような切欠部を有する形状としてもよい。又、内周部に設ける第１の緩斜面部及び第２の緩斜面部は省略することも可能である。
【００５８】
更に、内周部に形成する第１の縁巻き部及び外周部に形成する第２の縁巻き部は、いずれか一方だけ設けてもよく、両方とも省略してもよい。
【００５９】
標識部は、内周部以外に、段差部の表面や外周部に設けてもよく、場合により、省略してもよい。
【符号の説明】
【００６０】
１…ガスコンロ用マット（本発明）
２…マット本体
２ａ…内周縁
２ｂ…外周縁
３…開口部分
４…内周部
５…段差部
６…外周部
７…液止め部
８…第１の縁巻き部
９…堤防部
１０…第２の縁巻き部
１１…天板
１２…開孔
１３…ガスバーナー
１４…バーナーリング
１５…五徳
ｄ１…開口部分の孔径
ｄ２…段差部の直径
ｄ３…マット本体（外周部）の外径
Ｓ１…第１の緩斜面部
Ｓ２…第２の緩斜面部
Ｓ３…リング覆い部
θ１…第１の勾配
θ２…第２の勾配
Ｒ…バーナーリングの外径
尚、各図中同一符号は同一又は相当部分を示す。
【図１】
2019219065.tif 000003
【図２】
2019219065.tif 000004
【図３】
2019219065.tif 000005
【図４】
2019219065.tif 000006
【図５】
2019219065.tif 000007
【図６】
2019219065.tif 000008
【図７】
2019219065.tif 000009
【図８】
2019219065.tif 000010